(57)【要約】  送信機は、垂直偏波用信号及び水平偏波用信号を送信し、受信機は、前記送信機から送信された前記垂直偏波用信号及び前記水平偏波用信号を、受信する送受信方法において、  前記垂直偏波用信号は、垂直偏波であることを示す垂直偏波識別用信号とデータ用信号である垂直偏波データ信号を有し、前記水平偏波用信号は、水平偏波であることを示す水平偏波識別用信号とデータ用信号である水平偏波データ信号を有し、前記垂直偏波識別用信号及び前記水平偏波識別用信号は、同時に送信され、前記垂直偏波識別用信号、前記水平偏波識別用信号及び前記垂直偏波データ信号は、直交関係にある信号系列から生成され、前記垂直偏波識別用信号、前記水平偏波識別用信号及び前記水平偏波データ信号は、直交関係にある信号系列から生成される送受信方法である。【特許請求の範囲】
【請求項１】
送信機は、垂直偏波用信号及び水平偏波用信号を送信し、
受信機は、前記送信機から送信された前記垂直偏波用信号及び前記水平偏波用信号を、受信する送受信方法において、
前記垂直偏波用信号は、垂直偏波であることを示す垂直偏波識別用信号とデータ用信号である垂直偏波データ信号を有し、
前記水平偏波用信号は、水平偏波であることを示す水平偏波識別用信号とデータ用信号である水平偏波データ信号を有し、
前記垂直偏波識別用信号及び前記水平偏波識別用信号は、同時に送信され、
前記垂直偏波識別用信号、前記水平偏波識別用信号及び前記垂直偏波データ信号は、直交関係にある信号系列から生成され、前記垂直偏波識別用信号、前記水平偏波識別用信号及び前記水平偏波データ信号は、直交関係にある信号系列から生成されることを特徴とする送受信方法。
【請求項２】
送信機は、前記垂直偏波アンテナをＮ（Ｎは、０以上の整数）個、前記水平偏波アンテナをＭ（Ｍは、０以上の整数、（Ｎ＋Ｍ））≧２）個有し、
送信機は、前記Ｎ個の垂直偏波アンテナより垂直偏波用信号を送信し、前記Ｍ個の水平偏波アンテナより水平偏波用信号を送信し、
受信機は、垂直偏波アンテナ及び水平偏波アンテナにより、前記送信機から送信された前記垂直偏波用信号及び前記水平偏波用信号を受信する送受信方法において、
前記垂直偏波用信号は、垂直偏波であることを示す垂直偏波識別用信号とデータ用信号である垂直偏波データ信号を有し、
前記水平偏波用信号は、水平偏波であることを示す水平偏波識別用信号とデータ用信号である水平偏波データ信号を有し、
前記垂直偏波識別用信号は、前記Ｎ個の垂直偏波アンテナ毎に異なり、  
前記水平偏波識別用信号は、前記Ｍ個の水平偏波アンテナ毎に異なり、
前記垂直偏波識別用信号及び前記水平偏波識別用信号は、同時に送信され、
Ｎ個の前記垂直偏波識別用信号、前記Ｍ個の水平偏波識別用信号及び前記垂直偏波データ信号は、直交関係にある信号系列から生成され、Ｎ個の前記垂直偏波識別用信号、前記Ｍ個の水平偏波識別用信号及び前記水平偏波データ信号は、直交関係にある信号系列から生成されたことを特徴とする送受信方法。
【請求項３】
垂直偏波及び水平偏波に代えて、左楕円偏波及び右楕円偏波を用いることを特徴とする請求項１又は２記載の符号の送受信方法。
【請求項４】
送信部は、垂直偏波用信号及び水平偏波用信号を送信し、
受信部は、他の通信機から送信された垂直偏波用信号及び水平偏波用信号を受信する通信機において、
前記垂直偏波用信号は、垂直偏波であることを示す垂直偏波識別用信号とデータ用信号である垂直偏波データ信号を有し、
前記水平偏波用信号は、水平偏波であることを示す水平偏波識別用信号とデータ用信号である水平偏波データ信号を有し、
前記垂直偏波識別用信号及び前記水平偏波識別用信号は、同時に送信又は受信され、
前記垂直偏波識別用信号、前記水平偏波識別用信号及び前記垂直偏波データ信号は、直交関係にある信号系列から生成され、前記垂直偏波識別用信号、前記水平偏波識別用信号及び前記水平偏波データ信号は、直交関係にある信号系列から生成されることを特徴とする通信機。
【請求項５】
送信部は、前記垂直偏波アンテナをＮ（Ｎは、０以上の整数）個、前記水平偏波アンテナをＭ（Ｍは、０以上の整数、（Ｎ＋Ｍ））≧２）個有し、
送信部は、前記Ｎ個の垂直偏波アンテナより垂直偏波用信号を送信し、前記Ｍ個の水平偏波アンテナより水平偏波用信号を送信し、
受信機は、他の通信機から送信された垂直偏波用信号及び水平偏波用信号を受信する通信機において、
前記垂直偏波用信号は、垂直偏波であることを示す垂直偏波識別用信号とデータ用信号である垂直偏波データ信号を有し、
前記水平偏波用信号は、水平偏波であることを示す水平偏波識別用信号とデータ用信号である水平偏波データ信号を有し、
送信される前記垂直偏波識別用信号は、送信される前記Ｎ個の垂直偏波アンテナ毎に異なり、  
送信される前記水平偏波識別用信号は、送信される前記Ｍ個の水平偏波アンテナ毎に異なり、
送信される前記垂直偏波識別用信号及び送信される前記水平偏波識別用信号は、同時に送信され、
送信されるＮ個の前記垂直偏波識別用信号、送信される前記Ｍ個の水平偏波識別用信号及び送信される前記垂直偏波データ信号は、直交関係にある信号系列から生成され、送信されるＮ個の前記垂直偏波識別用信号、送信される前記Ｍ個の水平偏波識別用信号及び送信される前記水平偏波データ信号は、直交関係にある信号系列から生成されたことを特徴とする通信機。
【請求項６】
垂直偏波及び水平偏波に代えて、左楕円偏波及び右楕円偏波を用いることを特徴とする請求項４又は５記載の符号の通信機。
【請求項７】
所定の系列をＳ０とし、
Ｎ行Ｎ列のＤＦＴ行列ＦＮのＮ個の行ベクトルを、ベクトルｆ０、ベクトルｆ１・・・ベクトルｆＮ−１としたとき、次のように、系列Ｔ０、Ｔ１、Ｔ２、・・・ＴＮ−１を生成し、
2006082865.tif 000014
次に、それぞれの系列Ｔ０、Ｔ１、Ｔ２、・・・ＴＮ−１と、Ｍ行Ｍ列のＤＦＴ行列ＦＭのＭ個の行ベクトルであるベクトルｆ０、ベクトルｆ１・・・ベクトルｆＭ−１とでクロネッカ積を取ることにより、Ｎ×Ｍ個の周期相互相関のない信号系列を生成することを特徴とする周期相互相関のない信号系列の生成方法。
【請求項８】
請求項４又は５に記載の通信機において、
前記垂直偏波識別用信号、前記水平偏波識別用信号、前記垂直偏波データ信号及び前記水平偏波データ信号は、請求項７記載の周期相互相関のない信号系列の生成方法により生成された互いに干渉のない関係にある信号系列から生成されたことを特徴とする通信機。
【請求項９】
垂直偏波及び水平偏波に代えて、左楕円偏波及び右楕円偏波を用いることを特徴とする請求項８記載の符号の通信機。
【請求項１０】
請求項４又は５に記載の通信機において、
ｋ（但し、ｋは、２以上の整数）個の、それぞれの通信機の送信すべきデータを、それぞれ、信号０、信号１、・・・、信号（ｋ−２）、信号（ｋ−１）とし、Ｎ行Ｎ列のＤＦＴ行列ＦＮのＮ個の行ベクトルを、ベクトルｆ０、ベクトルｆ１・・・ベクトルｆＮ−１としたとき、
2006082865.tif 000015
【発明の詳細な説明】
【技術分野】
【０００１】
本発明は、送受信方法、周期相互相関のない信号系列の生成方法及び通信機に関する。
【背景技術】
【０００２】
従来、無線通信の分野では、互いに直交した二偏波（垂直（Ｖ）偏波と水平（Ｈ）偏波、又は左施円偏波と右施円偏波）に、別々の情報を伝送し、周波数資源を有効に利用する直交偏波無線通信方式が用いられている（特許文献１、２参照）。
【特許文献１】特許第３１７１３２９号公報
【特許文献２】特開平９−２１４４６１号公報
【発明の開示】
【発明が解決しようとする課題】
【０００３】
しかしながら、直交偏波を用いる場合、降雨、マルチパスなどにより、交差偏波間干渉が生じる。従来のものは、この交差偏波間干渉を、簡単に除去することができなかった。【０００４】
本発明は、上記問題に鑑みなされたものであり、垂直偏波であることを示す垂直偏波識別用信号と水平偏波であることを示す水平偏波識別用信号とを同時に送信することにより、交差偏波間干渉を、簡単に除去する送受信方法、周期相互相関のない信号系列の生成方法及び通信機を提供することを目的とするものである。
【課題を解決するための手段】
【０００５】
上記課題を解決するために、本件発明は、以下の特徴を有する課題を解決するための手段を採用している。【０００６】
第１の発明は、送信機は、垂直偏波用信号及び水平偏波用信号を送信し、受信機は、前記送信機から送信された前記垂直偏波用信号及び前記水平偏波用信号を、受信する送受信方法において、前記垂直偏波用信号は、垂直偏波であることを示す垂直偏波識別用信号とデータ用信号である垂直偏波データ信号を有し、前記水平偏波用信号は、水平偏波であることを示す水平偏波識別用信号とデータ用信号である水平偏波データ信号を有し、前記垂直偏波識別用信号及び前記水平偏波識別用信号は、同時に送信され、前記垂直偏波識別用信号、前記水平偏波識別用信号及び前記垂直偏波データ信号は、直交関係にある信号系列から生成され、前記垂直偏波識別用信号、前記水平偏波識別用信号及び前記水平偏波データ信号は、直交関係にある信号系列から生成されることを特徴とする。【０００７】
第２の発明は、送信機は、前記垂直偏波アンテナをＮ（Ｎは、０以上の整数）個、前記水平偏波アンテナをＭ（Ｍは、０以上の整数、（Ｎ＋Ｍ））≧２）個有し、送信機は、前記Ｎ個の垂直偏波アンテナより垂直偏波用信号を送信し、前記Ｍ個の水平偏波アンテナより水平偏波用信号を送信し、受信機は、垂直偏波アンテナ及び水平偏波アンテナにより、前記送信機から送信された前記垂直偏波用信号及び前記水平偏波用信号を受信する送受信方法において、前記垂直偏波用信号は、垂直偏波であることを示す垂直偏波識別用信号とデータ用信号である垂直偏波データ信号を有し、前記水平偏波用信号は、水平偏波であることを示す水平偏波識別用信号とデータ用信号である水平偏波データ信号を有し、前記垂直偏波識別用信号は、前記Ｎ個の垂直偏波アンテナ毎に異なり、前記水平偏波識別用信号は、前記Ｍ個の水平偏波アンテナ毎に異なり、前記垂直偏波識別用信号及び前記水平偏波識別用信号は、同時に送信され、Ｎ個の前記垂直偏波識別用信号、前記Ｍ個の水平偏波識別用信号及び前記垂直偏波データ信号は、直交関係にある信号系列から生成され、Ｎ個の前記垂直偏波識別用信号、前記Ｍ個の水平偏波識別用信号及び前記水平偏波データ信号は、直交関係にある信号系列から生成されたことを特徴とする。【０００８】
第３の発明は、請求項１又は２記載の符号の送受信方法において、垂直偏波及び水平偏波に代えて、左楕円偏波及び右楕円偏波を用いることを特徴とする。【０００９】
第４の発明は、送信部は、垂直偏波用信号及び水平偏波用信号を送信し、受信部は、他の通信機から送信された垂直偏波用信号及び水平偏波用信号を受信する通信機において、前記垂直偏波用信号は、垂直偏波であることを示す垂直偏波識別用信号とデータ用信号である垂直偏波データ信号を有し、前記水平偏波用信号は、水平偏波であることを示す水平偏波識別用信号とデータ用信号である水平偏波データ信号を有し、前記垂直偏波識別用信号及び前記水平偏波識別用信号は、同時に送信又は受信され、前記垂直偏波識別用信号、前記水平偏波識別用信号及び前記垂直偏波データ信号は、直交関係にある信号系列から生成され、前記垂直偏波識別用信号、前記水平偏波識別用信号及び前記水平偏波データ信号は、直交関係にある信号系列から生成されることを特徴とする。【００１０】
第５の発明は、送信部は、前記垂直偏波アンテナをＮ（Ｎは、０以上の整数）個、前記水平偏波アンテナをＭ（Ｍは、０以上の整数、（Ｎ＋Ｍ））≧２）個有し、送信部は、前記Ｎ個の垂直偏波アンテナより垂直偏波用信号を送信し、前記Ｍ個の水平偏波アンテナより水平偏波用信号を送信し、受信機は、他の通信機から送信された垂直偏波用信号及び水平偏波用信号を受信する通信機において、前記垂直偏波用信号は、垂直偏波であることを示す垂直偏波識別用信号とデータ用信号である垂直偏波データ信号を有し、前記水平偏波用信号は、水平偏波であることを示す水平偏波識別用信号とデータ用信号である水平偏波データ信号を有し、送信される前記垂直偏波識別用信号は、送信される前記Ｎ個の垂直偏波アンテナ毎に異なり、送信される前記水平偏波識別用信号は、送信される前記Ｍ個の水平偏波アンテナ毎に異なり、送信される前記垂直偏波識別用信号及び送信される前記水平偏波識別用信号は、同時に送信され、送信されるＮ個の前記垂直偏波識別用信号、送信される前記Ｍ個の水平偏波識別用信号及び送信される前記垂直偏波データ信号は、直交関係にある信号系列から生成され、送信されるＮ個の前記垂直偏波識別用信号、送信される前記Ｍ個の水平偏波識別用信号及び送信される前記水平偏波データ信号は、直交関係にある信号系列から生成されたことを特徴とする。【００１１】
第６の発明は、請求項４又は５記載の符号の通信機において、垂直偏波及び水平偏波に代えて、左楕円偏波及び右楕円偏波を用いることを特徴とする。【００１２】
第７の発明は、
所定の系列をＳ０とし、
Ｎ行Ｎ列のＤＦＴ行列ＦＮのＮ個の行ベクトルを、ベクトルｆ０、ベクトルｆ１・・・ベクトルｆＮ−１としたとき、次のように、系列Ｔ０、Ｔ１、Ｔ２、・・・ＴＮ−１を生成し、
2006082865.tif 000002
【００１３】
次に、それぞれの系列Ｔ０、Ｔ１、Ｔ２、・・・ＴＮ−１と、Ｍ行Ｍ列のＤＦＴ行列ＦＭのＭ個の行ベクトルであるベクトルｆ０、ベクトルｆ１・・・ベクトルｆＭ−１とでクロネッカ積を取ることにより、Ｎ×Ｍ個の周期相互相関のない信号系列を生成することを特徴とする周期相互相関のない信号系列の生成方法である。【００１４】
これにより、Ｍ人のユーザが、それぞれ、Ｎ個の信号を用いて、お互いに、干渉することなく通信することができる。【００１５】
第８の発明は、第４又は第５の発明の通信機において、前記垂直偏波識別用信号、前記水平偏波識別用信号、前記垂直偏波データ信号及び前記水平偏波データ信号は、請求項７記載の周期相互相関のない信号系列の生成方法により生成された互いに干渉のない関係にある信号系列から生成されたことを特徴とする。【００１６】
第９の発明は、請求項８記載の符号の通信機において、垂直偏波及び水平偏波に代えて、左楕円偏波及び右楕円偏波を用いることを特徴とする。【００１７】
第９の発明は、第４又は第５の発明の通信機において、ｋ（但し、ｋは、２以上の整数）個の、それぞれの通信機の送信すべきデータを、それぞれ、信号０、信号１、・・・、信号（ｋ−２）、信号（ｋ−１）とし、Ｎ行Ｎ列のＤＦＴ行列ＦＮのＮ個の行ベクトルを、ベクトルｆ０、ベクトルｆ１・・・ベクトルｆＮ−１としたとき、
2006082865.tif 000003
【発明の効果】
【００１８】
本発明によれば、送受信方法、直交系列を生成する方法及び通信機を提供することができる。
【図面の簡単な説明】
【００１９】
【図１】送受信システム（その１）を説明するための図である。
【図２】送信信号（その１）を説明するための図である。
【図３】送信信号（その２）を説明するための図である。
【図４】整合フィルタの出力（その１）を説明するための図である。
【図５】整合フィルタの出力（マルチパスのある場合）を説明するための図である。
【図６】送受信システム（その２）を説明するための図である。
【図７】送信信号（その３）を説明するための図である。
【図８】周期１６の４相直交系列の一つの例である。
【図９】整合フィルタの出力（その２）を説明するための図である。
【図１０】ＷＮを説明するための図である。
【図１１】Ｎ行、Ｎ列のＤＦＴ行列を説明するための図である。
【図１２】新しい直交系列の生成方法を説明するための図である。
【図１３】整合フィルタの出力（その３）を説明するための図である。
【図１４】整合フィルタの出力（その４）を説明するための図である。
【図１５】直交系列の割り振りの例（その１）を説明するための図である。
【図１６】直交系列の割り振りの例（その２）を説明するための図である。
【図１７】別の直交系列の生成方法を説明するための図である。
【図１８】擬同期信号の生成を説明するための図である。
【図１９】ガードインターバルを説明するための図である。
【符号の説明】
【００２０】
１１、３０    送信装置
１２、３１、３２    垂直偏波アンテナ
２１、４０    受信装置
２２、４１、４２    垂直偏波アンテナ
２３、４３、４４    水平ア
【発明を実施するための最良の形態】
【００２１】
（送受信システム（その１））
図１に本発明の送受信システム（その１）を示す。【００２２】
図１の送受信システムは、送信装置１１及び受信装置２１から構成されている。送信装置１１は、垂直偏波アンテナ１２及び水平偏波アンテナ１３を備え、受信装置２１は、垂直偏波アンテナ２２及び水平偏波アンテナ２３を備えている。【００２３】
ここで、送信装置１１の垂直偏波アンテナ１２から信号ｘ１が送信され、水平偏波アンテナ１３から信号ｘ２が送信され、受信装置２１の垂直偏波アンテナ１２で信号ｙ１が受信され、水平偏波アンテナ２３で信号ｙ２が受信されたとする。【００２４】
このとき、送信装置１１の垂直偏波アンテナ１２から送信された信号ｘ１が、受信装置２１の垂直偏波アンテナ２１でａ１１ｘ１となって受信され、受信装置２１の水平偏波アンテナ２２でａ２１ｘ１として受信され、また、送信装置１１の水平偏波アンテナ１３から送信された信号ｘ２が、受信装置２１の垂直偏波アンテナ２２でａ１２ｘ２となって受信され、受信装置２１の水平偏波アンテナ２３でａ２２ｘ２として受信された場合、次の様に、信号ｙ１とｙ２を表現することができる。【００２５】
ｙ１＝ａ１１ｘ１＋ａ１２ｘ２        ・・・（１）
ｙ２＝ａ２１ｘ１＋ａ２２ｘ２        ・・・（２）
したがって、
2006082865.tif 000004
とすると、信号ｘ１と信号ｘ２が、クレイマーの方法によって、式（４）及び式（５）により求まる。
2006082865.tif 000005
これによれば、ａ１１、ａ１２、ａ２１及びａ２２を知ることがでれば、垂直偏波用信号と水平偏波用信号との間で、混信があったとしても、受信した信号ｙ１とｙ２とから、送信された信号ｘ１と信号ｘ２を求めることができる。【００２６】
そこで本発明では、ａ１１、ａ１２、ａ２１及びａ２２を、次のようにして求めるようにした。【００２７】
送信装置１１の垂直偏波アンテナ１２から送信される垂直偏波用信号（信号ｘ１）を、図２に示すように、垂直偏波であることを示す垂直偏波識別用信号とデータ用信号である垂直偏波データ信号とし、送信装置１１の水平偏波アンテナ１３から送信される水平偏波用信号（信号ｘ２）を、水平偏波であることを示す水平偏波識別用信号とデータ用信号である水平偏波データ信号とする。【００２８】
受信機では、垂直偏波識別用信号と水平偏波識別用信号とに基づいて、垂直偏波アンテナ２２で受信された信号ｙ１から、送信装置１１の垂直偏波アンテナ１２から送信された垂直偏波用信号（信号ｘ１）の垂直信号成分と水平偏波アンテナ１３から送信された水平偏波用信号（信号ｘ２）の水平信号成分とを分離して、前者からａ１１を、後者からａ１２を得る。【００２９】
同様にして、水平偏波アンテナ２３で受信された信号ｙ２から、ａ２１及びａ２２を得る。【００３０】
また、具体的には、垂直偏波用信号は、図３（Ａ）に示すように、一つの垂直偏波識別用信号（＃０）と複数の垂直偏波データ信号（＃２〜＃１５）とし、水平偏波用信号は、一つの水平偏波識別用信号（＃１）と複数の水平偏波データ信号（＃１６〜＃３９）とで構成する。【００３１】
この場合、上述したように、受信した信号から、係数ａ１１、ａ１２、ａ２１及びａ２２を求めるには、垂直偏波識別用信号（＃０）、水平偏波識別用信号（＃１）、垂直偏波及び／又は水平偏波データ信号（＃２〜＃３９）とが、それぞれ、直交関係にある信号系列から生成される必要がある。【００３２】
ここで、直交関係とは、時間ずれのある信号に対しても、直交性を有する強い直交関係をものが好ましい。【００３３】
しかしながら、垂直偏波データ信号（＃２〜＃１５）と水平偏波データ信号（＃１６〜＃３９）とは別の偏波で送信され、垂直偏波データ信号（＃２〜＃１５）と水平偏波データ信号（＃１６〜＃３９）は、それぞれ、偏波識別用信号と共に伝送されているので、水平偏波データ信号（＃１６〜＃３９）と垂直偏波データ信号（＃２〜＃１５）とは、同じ信号系列から生成された信号であっても問題はない。つまり、水平偏波データ信号及び垂直偏波データ信号として、（＃２〜＃１５）又は（＃１６〜＃３９）の一方のグループの系列の信号を用いてもよい。【００３４】
直交関係にある、垂直偏波識別用信号（＃０）、水平偏波識別用信号（＃１）、垂直偏波データ信号（＃２〜＃１５）及び水平偏波データ信号（＃１６〜＃３９）の一つの信号に対して、その信号を受信するためのフィルタ、例えば、整合フィルタを通した場合（例えば、垂直偏波識別用信号（＃０）に対して、その信号の整合フィルタを通した場合）、図４（Ａ）の様な出力を得ることができる。【００３５】
一方、直交関係にある、垂直偏波識別用信号（＃０）、水平偏波識別用信号（＃１）、垂直偏波及び／又は水平偏波データ信号（＃２〜＃３９）の一つの信号に対して、その信号を受信するためのフィルタ、例えば、整合フィルタを通した場合（例えば、垂直偏波識別用信号（＃０）に対して、水平偏波識別用信号（＃１）の整合フィルタを通した場合）、図４（Ｂ）の様な出力を得ることができる。【００３６】
このような特性を利用して、信号＃０〜＃３９に基づいて、伝送路のマルチパス特性を得ることができる。【００３７】
例えば、伝送された垂直偏波識別用信号（＃０）に基づいて、送受信間の伝送路のマルチパス特性を得るには、受信機で垂直偏波識別用信号（＃０）の整合フィルタを通すことにより、図５に示すように、直接波と複数の反射波を得ることができる。これにより、送受信間の伝送路のマルチパス特性を知ることができる。【００３８】
受信機において、送受信間の伝送路のマルチパス特性を知ることができると、検出したマルチパス特性に基づいて、マルチパスの除去を行うことができる。【００３９】
また、受信機において、送受信間の伝送路のマルチパス特性を知ることができると、直接波とマルチパス波の位相を整合させることにより、ＲＡＫＥ受信と同様に、直接波とマルチパス波の合成出力を得ることができる。
（送受信システム（その２））
図６に本発明の送受信システム（その２）を示す。【００４０】
図６の送受信システムは、送信装置３０及び受信装置４０から構成されている。送信装置３０は、垂直偏波アンテナ３１、３２及び水平偏波アンテナ３３、３４を備え、受信装置４０は、垂直偏波アンテナ４１、４２及び水平偏波アンテナ４３、４４を備えている。【００４１】
また、送信装置３０の垂直偏波アンテナ３１、３２から、図７（Ａ）及び（Ｂ）に示されている垂直偏波用信号が送信され、水平偏波アンテナ３３、３４から図７（Ｃ）及び（Ｄ）に示されている水平偏波用信号が送信される。【００４２】
なお、垂直偏波用信号と水平偏波用信号において、垂直偏波と水平偏波との混信があっても、適正にデータを受信されるためには、次の直交関係（１）〜（４）を有している。
（１）アンテナ３１の垂直偏波識別用信号（＃０）、アンテナ３２の垂直偏波識別用信号（＃０’）、アンテナ３３の水平偏波識別用信号（＃１）、アンテナ３４の水平偏波識別用信号（＃１’）及びアンテナ３１から送信される垂直偏波データ（＃２〜＃１５）は、相互に、直交関係にある信号系列から生成されている。
（２）アンテナ３１の垂直偏波識別用信号（＃０）、アンテナ３２の垂直偏波識別用信号（＃０’）、アンテナ３３の水平偏波識別用信号（＃１）、アンテナ３４の水平偏波識別用信号（＃１’）及びアンテナ３３から送信される垂直偏波データ（＃２’〜＃１５’）は、相互に、直交関係にある信号系列から生成されている。
（３）アンテナ３１の垂直偏波識別用信号（＃０）、アンテナ３２の垂直偏波識別用信号（＃０’）、アンテナ３３の水平偏波識別用信号（＃１）、アンテナ３４の水平偏波識別用信号（＃１’）及びアンテナ３３から送信される水平偏波データ（＃１６〜＃２９）は、相互に、直交関係にある信号系列から生成されている。
（４）アンテナ３１の垂直偏波識別用信号（＃０）、アンテナ３２の垂直偏波識別用信号（＃０’）、アンテナ３３の水平偏波識別用信号（＃１）、アンテナ３４の水平偏波識別用信号（＃１’）及びアンテナ３４から送信される水平偏波データ（＃１６’〜＃２９’）は、相互に、直交関係にある信号系列から生成されている。【００４３】
また、一般的に、送信機が、垂直偏波アンテナをＮ（Ｎは、２以上の整数）個、水平偏波アンテナをＭ（Ｍは、２以上の整数）個有し、送信機が、Ｎ個の垂直偏波アンテナより垂直偏波用信号を送信し、Ｍ個の水平偏波アンテナより水平偏波用信号を送信する場合は、
（１）垂直偏波識別用信号は、Ｎ個の垂直偏波アンテナ毎に異なり、水平偏波識別用信号は、Ｍ個の水平偏波アンテナ毎に異なり、更に、Ｎ個の垂直偏波識別用信号、Ｍ個の水平偏波識別用信号及び垂直偏波データ信号は、直交関係にある信号系列から生成される必要がある。【００４４】
また、
（２）垂直偏波識別用信号は、Ｎ個の垂直偏波アンテナ毎に異なり、水平偏波識別用信号は、Ｍ個の水平偏波アンテナ毎に異なり、更に、Ｎ個の垂直偏波識別用信号、Ｍ個の水平偏波識別用信号及び水平偏波データ信号は、直交関係にある信号系列から生成される必要がある。【００４５】
なお、この場合であっても、直交関係にある、Ｎ個の前記垂直偏波識別用信号、Ｍ個の水平偏波識別用信号等に基づいて、マルチパス特性を得ることができる。
（周期相互相関のない信号系列の生成方法）
ここで、周期相互相関のない信号系列とは、ある系列Ａと他の系列Ｂにおいて、系列Ａと系列Ｂとが相互相関がないだけでなく、系列Ａ又は系列Ｂを循環させた系列においても、相互相関のない場合を言う。
次に、図１及び図６に示されている送受信システムに適した、周期相互相関のない信号系列の生成方法について説明する。【００４６】
ここで、図８に、周期１６の４相直交系列の一つである系列Ｓ０から、多くの周期相互相関のない信号系列の生成方法について説明する。【００４７】
系列Ｓ０は、自己相関が高いので、図９（Ａ）に示されているように、無限に繰り返す系列Ｓ０に対して、系列Ｓ０の整合フィルタを作用させると、１６ビット置きに無限に続くパルスを得ることができる。【００４８】
また、連続する３つの系列Ｓ０に対して、系列Ｓ０の整合フィルタを作用させると、図９（Ｂ）に示されているように、１６ビット置きに、３つのパルスを得ることができる。【００４９】
また、連続する２つの系列Ｓ０に対して、系列Ｓ０の整合フィルタを作用させると、図９（Ｃ）に示されているように、１６ビット間隔の２つのパルスを得ることができる。【００５０】
次に、Ｎ行、Ｎ列のＤＦＴ（Ｄｉｓｃｒｅｔｅ
Ｆｏｕｒｉｅｒ Ｔｒａｎｓｆｏｒｍ）行列について説明する。【００５１】
Ｎ行、Ｎ列のＤＦＴ行列ＦＮを、
ＦＮ＝［ｆＮ（ｉ，ｊ）］                  ・・・（６）
とする。【００５２】
ここで、ｉは、行番号で、０≦ｉ≦Ｎ−１であり、ｊは、列番号で、０≦ｊ≦Ｎ−１である。【００５３】
また、
2006082865.tif 000006
である。【００５４】
また、単位円をＮ分割した点に相当する変数ＷＮを、図１０に示すように、次のように定義する。
2006082865.tif 000007
このＷＮを用いると、ＤＦＴ行列ＦＮは、図１１に示すようになる。【００５５】
なお、ＷＮは回転子であり、以下の関係が成立する。【００５６】
2006082865.tif 000008
図１１に示されているＤＦＴ行列ＦＮのそれぞれの行ベクトルと、系列Ｓ０から、図１２に示されているように、新しい周期相互相関のない信号系列Ｔ０、Ｔ１、Ｔ２、・・・ＴＮ−１を生成する。【００５７】
例えば、Ｔ０は、１６×Ｎビットの長さの系列であり、
2006082865.tif 000009
【００５８】
この周期相互相関のない信号系列Ｔ０をＴ０の整合フィルタに通すと、図１３に示されているような出力パルスが得られる。【００５９】
図１３（Ａ）は、周期相互相関のない信号系列Ｔ０が、無限に繰り返されている場合であって、この場合は、図８（Ａ）と同様に、１６ビット置きに無限に続くパルスを得る。【００６０】
また、連続する３つの系列Ｔ０に対して、系列Ｔ０の整合フィルタを作用させると、図１３（Ｂ）に示されているように、１６ビット置きに、Ｎ個のパルスを得ることができる。【００６１】
また、系列Ｔ０Ｓ０に対して、系列Ｔ０の整合フィルタを作用させると、図１３（Ｃ）に示されているように、１６ビット間隔の２つのパルスを得ることができる。【００６２】
次に、周期相互相関のない信号系列Ｔ１をＴ０の整合フィルタに通すと、図１４に示されているような出力が得られる。【００６３】
図１４（Ａ）は、周期相互相関のない信号系列Ｔ１が、無限に繰り返されている場合であって、この場合は、雑音の無いゼロ出力となる。【００６４】
また、連続する３つの系列Ｔ１に対して、系列Ｔ０の整合フィルタを作用させると、図１４（Ｂ）に示されているように、Ｎ×１６ビット間、雑音の無いゼロ出力となる。【００６５】
また、系列Ｔ１Ｓ０に対して、系列Ｔ０の整合フィルタを作用させると、図１４（Ｃ）に示されているように、１６ビット間、雑音の無いゼロ出力となる。【００６６】
なお、系列Ｔ１にＳ０の半分の系列が続く系列Ｔ１Ｓ０（半分）に対して、系列Ｔ０の整合フィルタを作用させると、１６ビットの半分の８ビットの間、雑音の無いゼロ出力となる。【００６７】
したがって、マルチパス波が、直接波に対して、１６ビット分の時間遅れが生じる場合は、マルチパス検出用には、系列Ｔ１Ｓ０を送信する必要がある。しかしながら、マルチパス波が、直接波に対して、８ビット分の時間遅れが生じる場合は、マルチパス検出用には、系列Ｔ１Ｓ０（半分）を送信することで足りる。【００６８】
図１３及び図１４に示されているように、系列Ｔ０、Ｔ１、Ｔ２、・・・ＴＮ−１は、周期相互相関のない信号系列を形成する。なお、この系列は、それぞれ、シフトした系列に対しても、周期相互相関のない信号系列を形成する。
（周期相互相関のない信号系列の割り振り）
図１２のようにして得られたＮ個の周期相互相関のない信号系列を、図１５に示されているように、垂直偏波識別用信号、水平偏波識別用信号、水平偏波データ信号及び垂直偏波データ信号に割り当てることができる。【００６９】
また、一般的に、通信を行うユーザに図１６に示されているように、Ｎ個の周期相互相関のない信号系列を割り当てることができる。
（別の周期相互相関のない信号系列の生成）
図１２では、Ｎ行、Ｎ列のＤＦＴを用いて、系列Ｓ０からＮ個の周期相互相関のない信号系列を生成した。このＮ個の周期相互相関のない信号系列からさらに、Ｍ行、Ｍ列のＤＦＴを用いて、別の周期相互相関のない信号系列を生成する方法を説明する。【００７０】
つまり、系列Ｔ０、Ｔ１、Ｔ２、・・・ＴＮ−１のそれぞれに、系列Ｔ０、Ｔ１、Ｔ２、・・・ＴＮ−１を得た方法と同様に、Ｍ行、Ｍ列のＤＦＴＦＭのそれぞれの行ベクトルとから、新しいＮ×Ｍ個の周期相互相関のない信号系列を生成する。【００７１】
このＮ×Ｍ個の周期相互相関のない信号系列をユーザに割り当てる。【００７２】
具体的には、次に様に行う。【００７３】
2006082865.tif 000010
【００７４】
一方、ユーザＢは、系列Ｓ’０から系列Ｕ１（Ｔ’０、Ｔ’１、Ｔ’２、・・・Ｔ’Ｎ−１）を生成し、次いで、Ｍ列のＤＦＴＦＭのベクトルｆＭ、１を用いて、次式（１２）により、Ｎ個の新たな周期相互相関のない信号系列を生成する。【００７５】
2006082865.tif 000011
このようにして、ユーザＭは、系列ＵＭ−１を生成し、次いで、Ｍ列のＤＦＴＦＭのベクトルｆＭ、Ｍ−１を用いて、次式（１３）により、Ｎ個の新たな周期相互相関のない信号系列を生成する。【００７６】
2006082865.tif 000012
なお、この場合、系列Ｓ０と系列Ｓ’０とは、同じであってもよい。【００７７】
なお、上記説明では、図１及び図６では、送信機及び受信機のシステムの場合について説明したが、送信機及び受信機を有する二つの通信機のシステムであっても良い。
（変形１）
なお、上記説明では、垂直偏波識別用信号、水平偏波識別用信号、垂直偏波データ信号及び水平偏波データ信号が、直交系列又は周期相互相関のない信号系列の場合について説明したが、垂直偏波識別用信号、水平偏波識別用信号、垂直偏波データ信号及び水平偏波データ信号は、互いに干渉のない関係にある信号系列から生成された信号であればよい。【００７８】
また、上記説明では、垂直偏波及び水平偏波の場合について説明したが、垂直偏波及び水平偏波の代わりに、左楕円偏波及び右楕円偏波を用いても良いことは明らかである。【００７９】
また、送信する信号として、系列Ｔ０、Ｔ１、Ｔ２、・・・ＴＮ−１自体を、信号として送信してもよいが、送信すべきデータとこの系列とで所定の演算（例えば、乗算、排他的論理和）を行って、演算した信号を送信するようにしてもよい。【００８０】
また、送信装置が複数の垂直偏波アンテナ及び複数の水平偏波アンテナを備え、受信装置が複数の垂直偏波アンテナ及び複数の水平偏波アンテナを備えている場合について説明したが、
・送信装置が複数の垂直偏波アンテナを備え、受信装置が複数の垂直偏波アンテナを備えている場合（水平偏波アンテナが無い場合）及び
・送信装置が複数の水平偏波アンテナを備え、受信装置が複数の水平偏波アンテナを備えている場合（垂直偏波アンテナが無い場合）であっても、
本発明を実施することができる。
（変形２）
図１８を用いて、ｋ人のユーザが、通信する方法を説明する。【００８１】
各ユーザは、図１１に示されているＤＦＴ行列ＦＮのそれぞれの行ベクトルを用いて、信号を拡散して通信を行う。【００８２】
2006082865.tif 000013
【００８３】
ＤＦＴ行列ＦＮのそれぞれの行ベクトルは、周期相互相関がないので、各ユーザの送信信号は周期相互相関がない。【００８４】
各ユーザからの送信信号は、図１９に示すように、ＫＬの長さを有する。この長さＫＬの信号の前方のＭ’の信号を信号の後部に付加し、後方のＭの信号を信号の前部に付加することにより、ガードインターバルを形成してもよい。【００８５】
以上、発明を実施するための最良の形態について説明を行ったが、本発明は、この最良の形態で述べた実施の形態に限定されるものではない。本発明の主旨をそこなわない範囲で変更することが可能である。【００８６】
本件国際出願は、２００５年２月２日に出願した日本国特許出願２００５−２６４９７号に基づく優先権を主張するものであり、特許出願２００５−２６４９７号の全内容を本国際出願に援用する。
【図１】
2006082865.tif 000016
【図２】
2006082865.tif 000017
【図３】
2006082865.tif 000018
【図４】
2006082865.tif 000019
【図５】
2006082865.tif 000020
【図６】
2006082865.tif 000021
【図７】
2006082865.tif 000022
【図８】
2006082865.tif 000023
【図９】
2006082865.tif 000024
【図１０】
2006082865.tif 000025
【図１１】
2006082865.tif 000026
【図１２】
2006082865.tif 000027
【図１３】
2006082865.tif 000028
【図１４】
2006082865.tif 000029
【図１５】
2006082865.tif 000030
【図１６】
2006082865.tif 000031
【図１７】
2006082865.tif 000032
【図１８】
2006082865.tif 000033
【図１９】
2006082865.tif 000034
【国際調査報告】
2006082865.tif 000035
2006082865.tif 000036
2006082865.tif 000037
2006082865.tif 000038